(57)【要約】【課題】  高齢者または要介護者に万が一のことがあったとき、ワンタッチで地域内に音声放送で伝達される。【解決手段】  着呼があり（ステップ０１）、送られてくる電話番号データが通知状態であれば（ステップ０２）、オフフックしないで、オンフックのまま、送られてきた電話番号データに対応した音声ＲＯＭ１７…のいずれか１つを送って選択する（ステップ０４）。次いで、所定時間たとえば１分待機し（ステップ０６）、上記着呼された電話番号データと同じ電話番号データを着呼しなければ（ステップ０５）、アンドゲート２１に開成信号を送り込みアドレスカウンタ１８をクロック信号の周波数に応じた速度でインクリメントさせる（ステップ０７）。これにより、発呼してきた居住場１の高齢者または要介護者の「○○です。だれかちょっと助けてくれませんか。」といった音声データが読み出され特定の地域内に音声放送される。【選択図】図４
2008243014.tif 000002
【特許請求の範囲】
【請求項１】
高齢者または要介護者の居住場では、
ワンタッチ発令指示手段によって、一回の操作で発令が指示される工程と、
発呼手段によって、このワンタッチ発令指示手段からの発令指示情報に基づいて、発呼元電話番号が通知される状態で、予め記憶された着呼先番号に対して電話回線を通じて呼出が行なわれる工程と、
複数の発呼元電話番号と、この発呼元電話番号に対応する上記高齢者または要介護者を特定する複数の音声情報とを対応させて記憶する音声記憶手段が備えられた、複数の音声拡声手段を通じて特定の地域内に音声放送を行なう地域内放送手段では、
着呼手段によって、上記発呼手段からの発呼が着呼される工程と、
応答手段によって、この着呼手段で着呼されたとき、オフフックしないで、通知されてくる発呼元電話番号に対応した上記音声情報が上記音声記憶手段から読み出されて、上記音声拡声手段から特定の地域内に音声放送が行われる工程とを備えたことを特徴とする地域内伝達方法。
【請求項２】
高齢者または要介護者の居住場では、
ワンタッチ発令指示手段によって、一回の操作で発令を指示させる処理と、
発呼手段によって、このワンタッチ発令指示手段からの発令指示情報に基づいて、発呼元電話番号が通知される状態で、予め記憶された着呼先番号に対して電話回線を通じて呼出を行なわせる処理と、
複数の発呼元電話番号と、この発呼元電話番号に対応する上記高齢者または要介護者を特定する複数の音声情報とを対応させて記憶する音声記憶手段が備えられた、複数の音声拡声手段を通じて特定の地域内に音声放送を行なう地域内放送手段では、
着呼手段によって、上記発呼手段からの発呼を着呼させる処理と、
応答手段によって、この着呼手段で着呼されたとき、オフフックしないで、通知されてくる発呼元電話番号に対応した上記音声情報が上記音声記憶手段から読み出されて、上記音声拡声手段から特定の地域内に音声放送を行わせる処理とを、コンピュータに対して実行させることを特徴とする地域内伝達のためのコンピュータプログラム。
【請求項３】
高齢者または要介護者の居住場は、
一回の操作で発令を指示するワンタッチ発令指示手段と、
このワンタッチ発令指示手段からの発令指示情報に基づいて、発呼元電話番号を通知する状態で、予め記憶された着呼先番号に対して電話回線を通じて呼出を行なう発呼手段と、を備え、
複数の音声拡声手段を通じて特定の地域内に音声放送を行なう地域内放送手段は、
複数の発呼元電話番号と、この発呼元電話番号に対応する上記高齢者または要介護者を特定する複数の音声情報とを対応させて記憶する音声記憶手段と、
上記発呼手段からの発呼を着呼する着呼手段と、
この着呼手段で着呼されたとき、オフフックしないで、通知されてくる発呼元電話番号に対応した上記音声情報を上記音声記憶手段から読み出して、上記音声拡声手段から特定の地域内に音声放送を行なう応答手段と、を備えたことを特徴とする地域内伝達装置。
【請求項４】
地域内放送手段内の応答手段は、着呼手段で着呼されたとき、発呼元電話番号が通知されてこなければ、オフフック状態とし、さらに所定時間内に、電話機のプッシュボタン信号またはダイヤルパルス信号による複数の特定の番号情報または／及び記号情報が受信されれば、さらに受信されてくる音声情報を、上記複数の音声拡声手段を通じて特定の地域内に音声放送を行なうことを特徴とする請求項３記載の地域内伝達装置。
【請求項５】
上記地域内放送手段は、
上記着呼手段の着呼から所定時間待機し、この所定時間内に上記発呼元電話番号と同じ発呼番号を一回以上着呼すれば、上記通知された発呼元電話番号に対応した上記音声情報を読み出すことを取り消す取消手段を、さらに備えたことを特徴とする請求項３または４記載の地域内伝達装置。
【請求項６】
上記音声放送が過誤であったとき、  発呼元電話番号が通知される状態で取消情報が地域内放送手段に送られれば、当該音声放送が取り消される処理が実行され、  発呼元電話番号が通知されない状態で取消情報が地域内放送手段に送られれば、当該音声放送が過誤である音声放送がされることを特徴とする請求項３、４または５記載の地域内伝達装置。
【請求項７】
上記発呼手段での番号非通知と番号通知の切り換えによって、上記地域内放送手段での放送が、上記音声記憶手段から読み出した音声情報による放送と、上記発呼手段から発声される音声による放送とが切り換えられることを特徴とする請求項３、４、５または６記載の地域内伝達装置。
【発明の詳細な説明】
【技術分野】
【０００１】
本発明は、地域内伝達方法、地域内伝達のためのコンピュータプログラム及び地域内伝達装置に関し、特定の地域内だけで放送されるものに関する。
【背景技術】
【０００２】
従来、特定の地域内だけで放送される装置としては、防災放送などがある。このような防災放送は、特定の村落や特定の山村といった、特定の地域で災害発生が予想される時に、避難を呼びかける音声が拡声されて、放送で避難が呼びかけられる。
【０００３】
一方、村落や山村では一人暮らしの高齢者が増えており、このような高齢者に万が一のことがあっても、隣家がかなり離れていたり、屋外で人とあまり遭遇したりしないので、周囲は即座に気づくのが難しい。
【０００４】
【特許文献１】特開２００３−１０９１６３号公報
【発明の開示】
【発明が解決しようとする課題】
【０００５】
本発明の目的は、このような高齢者や要介護者に万が一のことがあったとき、即座に周囲に知らせることができるようにすることである。
【課題を解決するための手段】
【０００６】
上記目的を達成するために、本発明の地域内伝達装置は、高齢者または要介護者の居住場は、  一回の操作で発令を指示するワンタッチ発令指示手段と、  このワンタッチ発令指示手段からの発令指示情報に基づいて、発呼元電話番号を通知する状態で、予め記憶された着呼先番号に対して電話回線を通じて呼出を行なう発呼手段と、を備え、  複数の音声拡声手段を通じて特定の地域内に音声放送を行なう地域内放送手段は、  複数の発呼元+電話番号と複数の音声情報とを対応させて記憶する音声記憶手段と、上記発呼手段からの発呼を着呼する着呼手段と、  この着呼手段で着呼されたとき、オフフックしないで、通知されてくる発呼元電話番号に対応した上記音声情報を上記音声記憶手段から読み出して、上記音声拡声手段から特定の地域内に音声放送を行なう応答手段と、を備えた。
【発明の効果】
【０００７】
これにより、高齢者または要介護者に万が一のことがあったとき、ワンタッチで地域内に音声放送で伝達される。オフフックしないで、通知されてくる発呼元電話番号に対応した音声情報を音声記憶手段から読み出して、音声拡声手段から特定の地域内に音声放送を行なうので、オンフックする処理が不要となって、直ちに即応でき、迅速な伝達が可能となるし、通話料金も不要となる。
【発明を実施するための最良の形態】
【０００８】
（１）全体システム
図１は地域内伝達方法を実行する装置、地域内伝達装置、地域内放送システムの全体システムを示す。高齢者または要介護者の居住場１内には、携帯可能かつ移動可能なワンタッチボタン２が設置されている。このワンタッチボタン２にはワイヤレス発信機７が内蔵されており、ワンタッチボタン２の一回の操作で発令を指示するオン信号が発信される。
【０００９】
高齢者または要介護者の居住場１内には、ワイヤレス受信機３が固定されている。このワイヤレス受信機３では、この発令指示のオン信号が受信され、このオン信号は自動通報装置４に送り込まれる。
【００１０】
自動通報装置４にオン信号が受信されると、発呼元電話番号を通知する状態で、つまり例えば先頭に「１８６」を付加した番号通知状態で、予め記憶された着呼先番号に対して電話回線６を通じて発呼／呼出が行なわれる。この自動通報装置４には通常の電話機５も接続されており、この電話機５を通じて通話が可能となっている。
【００１１】
特定の地域内には、多数の支柱１１…が立設され、この支柱１１…の上方には音声拡声スピーカー１２…がそれぞれ取り付けられ固定されている。この音声拡声スピーカー１２…には地域内放送機１３からの音声信号が音声ケーブル１４…を通じて送られ、特定の地域内に音声放送が行なわれる。
【００１２】
（２）地域内放送機１３の回路
図２は、地域内放送機１３内の回路構成を示す。電話回線６を通じて、通知されてくる発呼元電話番号データは、電話番号レジスタ（自動応答回路）１５にストアされ、ＣＰＵ１６によってこの発呼元電話番号データに対応する音声ＲＯＭ１７…のいずれか１つが選択されてイネーブルとされる。
【００１３】
アドレスカウンタ１８では上記音声ＲＯＭ１７…の読出しアドレスデータが所定の速度でインクリメント／カウントされ、上記音声ＲＯＭ１７…に送られ、イネーブルにされている音声ＲＯＭ１７から音声データが読み出され、Ｄ−Ａ変換器１９でアナログ信号に変換され、アンプ２０で増幅されて、上記音声拡声スピーカー１２…へ送られて、地域内で放送伝達される。音声ＲＯＭ１７…に記録／記憶されている音声データがデジタルデータではなくアナログデータであれば、Ｄ−Ａ変換器１９は省略される。
【００１４】
アドレスカウンタ１８には所定周期のクロック信号が供給されて、このクロック信号の周波数に応じた速度でインクリメント／カウントされる。このクロック信号はアンドゲート２１を通じて供給され、このアンドゲート２１の開成信号は、上記ＣＰＵ１６から供給される。
【００１５】
このアンドゲート２１の開成時間は、音声ＲＯＭ１７…の先頭アドレスから末尾アドレスまでのインクリメント一回分の時間であるが、３回または５回などの複数回の繰り返しインクリメントの時間であってもよい。これにより、同じ内容の音声放送が複数回繰り返される。
【００１６】
上記音声ＲＯＭ１７…は例えば８個、１６個、３２個、６４個のＲＯＭからなり、それぞれが複数の異なる発呼元電話番号に対応、つまり上記複数の異なる高齢者または要介護者の居住場１に対応している。
【００１７】
それぞれのＲＯＭには、例えば「ヤマダです。だれかチョットたすけてくれませんか。」「スズキです。だれかチョットたすけてくれませんか。」「イトウです。だれかチョットたすけてくれませんか。」といった、発呼元電話番号つまり高齢者または要介護者の居住場１に対応した異なる複数の音声データが記憶されている。
【００１８】
この場合、ＲＯＭ２２またはＲＡＭ２３には、インデックスデータ、つまり発呼元電話番号が、上記対応する音声ＲＯＭ１７…の順番に記憶されてもよい。これにより、インデックスデータの中の発呼元電話番号に応じたアドレスナンバに応じた音声ＲＯＭ１７…にイネーブル信号が送られる。
【００１９】
以上のように、通知されてくる発呼元電話番号に対応した上記音声データが上記音声ＲＯＭ１７…から読み出されて、上記音声拡声スピーカー１２…から特定の地域内に音声放送が行なわれる。これにより、高齢者または要介護者に万が一のことがあったとき、ワンタッチで地域内に伝達される。
【００２０】
また、このとき、上記発呼が着呼され、この着呼されたとき、オフフックしないで、つまりオンフック状態のまま、音声データが読み出され、音声放送される。通知されてくる発呼元電話番号は、オフフックしないで受信できるので、オンフックする処理が不要となって、直ちに即応でき、迅速な伝達が可能となるし、通話料金も不要となる。
【００２１】
上記音声ＲＯＭ１７…の各ＲＯＭそれぞれは、個別に取り外したり交換したり取り付けたりできるようになっている。これにより、上記いずれかの高齢者または要介護者の転出、転入、逝去など、変動があった場合に個別に対応できる。このような音声ＲＯＭ１７…の各ＲＯＭそれぞれは、音声記録装置に取り付けて、高齢者または要介護者の居住場１に赴いて録音／記録／書込みできる。
【００２２】
電話回線６を通じて、発呼元電話番号データが通知されてこなければ、つまり例えば先頭に「１８４」を付加した番号非通知状態であれば、電話番号レジスタ（自動応答回路）１５はオフフック状態とされる。
【００２３】
さらに所定時間たとえば１分以内に、電話機５のプッシュボタン信号またはダイヤルパルス信号による複数の特定の番号データまたは／及び記号データが受信されれば、さらに受信されてくる、電話機５の送話器から話される音声信号は、上記アンプ２０で増幅されて、上記音声拡声スピーカー１２…へ送られて、地域内で放送伝達される。
【００２４】
上記複数の特定の番号データまたは／及び記号データは、いわゆるＩＤまたはパスワードと呼ばれるもので、電話機５のダイヤル番号ボタンから入力される。このようなデータ入力は、不特定の人間からの発呼への応答を防止し、予め決められた特定の人間からの発呼への応答を可能にするものである。
【００２５】
こうして、電話機５の送話器からの、特定の人間からの口頭によるメッセージ音声が、地域内で放送伝達される。そして、上記地域内放送機１３への発呼が番号非通知状態か番号通知状態かで、地域内で放送伝達されるメッセージが、電話機５の送話器からの口頭によるメッセージと、音声ＲＯＭ１７…に予め記録／記憶された音声メッセージとで、切り換え選択される。また、上記地域内放送機１３への発呼が番号非通知状態か番号通知状態かで、上記地域内放送機１３はオンフック状態とオフフック状態とで切り換え選択される。
【００２６】
ＲＯＭ２２には、地域内放送機１３（全体回路）、ＣＰＵ１６で実行されるコンピュータプログラムや各種処理に使用される汎用データが記憶される。このコンピュータプログラムは後述するフローチャートに対応している。また、ＲＡＭ２３には、上記コンピュータプログラム処理中のデータの一時的な蓄積等、つまりワーキングメモリ若しくはキャッシュメモリとして用いられる。
【００２７】
（３）自動通報装置４などの回路
図３は、高齢者または要介護者の居住場１における、ワイヤレス発信機７が内蔵されたワンタッチボタン２と、自動通報装置４及び電話機５との回路を示す。上述のようにワンタッチボタン２にはワイヤレス発信機７が内蔵されており、ワンタッチボタン２の一回の操作で発令を指示するオン信号が発信される。
【００２８】
上述のように自動通報装置４内の自動通報回路１０にワイヤレス受信機３を通じてオン信号が受信されると、発呼元電話番号を通知する状態で、つまり例えば先頭に「１８６」を付加した番号通知状態で、予め記憶された着呼先番号に対して電話回線６を通じて発呼／呼出がＣＰＵ９によって行なわれる。
【００２９】
番号メモリ８には、上記地域内放送機１３の電話番号データと、この先頭に例えば「１８６」を付加した番号通知状態を示すデータとが、記憶されている。この電話番号データは、電話機５の番号ボタン操作によって入力され、ＣＰＵ９によって書き込まれる。
【００３０】
自動通報装置４内の自動通報回路１０にオン信号が受信されると、番号メモリ８からＣＰＵ９によって電話番号データが読み出され、電話回線６を通じて地域内放送機１３に対して発呼／呼出が行なわれる。この自動通報装置４内の回線には通常の電話機５も接続されており、この電話機５を通じて電話回線６を介し通話が可能となっている。
【００３１】
ＣＰＵ９には、ＲＯＭ３１及びＲＡＭ３２が付加されている。このＲＯＭ３１には、自動通報装置４、ＣＰＵ９で実行されるコンピュータプログラムや各種処理に使用される汎用データが記憶される。
【００３２】
このコンピュータプログラムは後述するフローチャートに対応している。また、ＲＡＭ３２には、上記コンピュータプログラム処理中のデータの一時的な蓄積等、つまりワーキングメモリ若しくはキャッシュメモリとして用いられる。
【００３３】
上記電話機５、番号メモリ８からの電話番号データ／信号は、プッシュボタン信号またはダイヤルパルス信号の形式、その他携帯電話のダイヤル形式で発信される。
【００３４】
（４）地域内放送機１３の着呼・音声放送処理
図４は、上記地域内放送機１３のＣＰＵ１６によって実行される着呼・音声放送処理のフローチャートを示す。まず着呼があると（ステップ０１）、送られてくる電話番号データが通知状態か非通知状態かが判別される（ステップ０２）。
【００３５】
通知状態であれば（ステップ０２）、オフフックしないで、オンフックのまま、送られてきた電話番号データをＲＡＭ２３に書込み（ステップ０３）、電話番号データに対応した音声ＲＯＭ１７…のいずれか１つにイネーブル信号を送って選択する（ステップ０４）。
【００３６】
次いで、所定時間たとえば１分待機し（ステップ０６）、上記着呼された電話番号データと同じ電話番号データを着呼しなければ（ステップ０５）、アンドゲート２１に開成信号を送り込みアドレスカウンタ１８をクロック信号の周波数に応じた速度でインクリメントさせる（ステップ０７）。
【００３７】
これにより、発呼してきた居住場１の高齢者または要介護者の「○○です。だれかちょっと助けてくれませんか。」といった音声データが読み出され特定の地域内に緊急またはその他の音声放送がなされる。なお、このステップ０５、０６の処理は省略されてもよい。
【００３８】
上記待機時間内つまり１分以内に（ステップ０５）、上記着呼された電話番号データと同じ電話番号データを一回以上着呼すると（ステップ０６）、上記ステップ０７の音声データの読出し処理は行なわれない。これにより、間違ってワンタッチボタン２が押されたとき、すぐに再度ワンタッチボタン２を押せば、上記音声が誤って放送されることが停止・取消される。
【００３９】
この場合、着呼された電話番号データと同じ電話番号データを一回以上、つまり同じ電話番号データを待機時間内に一回でも複数回でも着呼すると、ステップ０５からその他の処理に必ず入り、ステップ０６〜０７の音声ＲＯＭ１７…の読出し処理は行なわれないから、上記緊急等の音声放送が必ず取り消される。
【００４０】
したがって、取消すときはワンタッチボタン２を１回でも、２回でも、３回でも、４回でもとにかく続けて押せばよく、取消操作に過誤がなくなる。再度緊急等の音声放送をしたいときは、待機時間経過後に、再度ワンタッチボタン２を押せばよい。
【００４１】
また、送られてくる電話番号データが非通知状態であれば（ステップ０２）、オフフックされて（ステップ１１）、所定時間待機たとえば１分以内に（ステップ１２）、ＲＯＭ２２またはＲＡＭ２３に記憶されているパスワード同じパスワードが入力されれば（ステップ１３）、アナログゲート２４に開成信号が送られる（ステップ１４）。これにより、送られてきた音声信号が特定の地域内に音声放送される。
【００４２】
（５）自動通報装置４の発呼処理
図５は、上記自動通報装置４のＣＰＵ９によって実行される発呼処理のフローチャートを示す。ワンタッチボタン２が押されて、ワイヤレス発信機７からのオン信号が、自動通報装置４内の自動通報回路１０に受信されると（ステップ２１）、電話回線６がオフフック状態にされる（ステップ２２）。
【００４３】
次いで、番号メモリ８に記憶されている電話番号データが読み出されて（ステップ２３）、先頭に「１８６」が付加されたまま、この番号に発呼される（ステップ２４）。そして、すぐに、電話回線６がオンフック状態に戻される（ステップ２５）。
【００４４】
これにより、上述のように、この発呼した居住場１の高齢者または要介護者の「○○です。だれかちょっと助けてくれませんか。」の音声が放送される。また、発呼後すぐにオンフック状態に戻されるので（ステップ２５）、間違って発呼したときには、すぐに再度発呼でき、上記放送の停止・取消が可能となる。
【００４５】
また、電話機５の送受器が取り上げられて電話回線６がオフフック状態になり（ステップ３１）、どこへも繋がっていない、電話回線６がリバースされていない未通話状態にあるとき（ステップ３２）、例えば電話機５の番号ボタンで「０１＊」または「０１＃」などのモード設定が行なわれると（ステップ３３）、電話番号書込みモードが設定される（ステップ３４）。
【００４６】
次いで、電話機５の番号ボタンが押されると（ステップ３５）、この電話番号データは番号メモリ８に書き込まれる（ステップ３６）。この書き込まれる電話番号データは、地域内放送機１３の電話番号である。これにより、ワンタッチボタン２を押すだけで、地域内放送機１３の電話番号への発呼が可能となる。
【００４７】
また、電話番号書込みモードが設定されずに（ステップ３３、３４）、電話機５の番号ボタンが押されると（ステップ３７）、通常の通話が可能となる（ステップ３８）。この番号ボタン操作で、番号非通知で地域内放送機１３に発呼され、オフフック応答があって、パスワードが入送り込まれれば、電話機５の送受器で話される音声が放送される。
【００４８】
これにより、特定区域内に何らかの連絡放送をすることができる。例えば「大雨で、裏の××山が危険です。避難を開始してください。」などである。また、この区域内放送でも、例えば「○○です。すいません。さきほどの緊急連絡は間違いです。○○は無事です。」といった連絡放送も可能である。これにより、間違ってワンタッチボタン２が押されたとき、電話機５の送受器でも、この過誤放送の取消が可能となる。
【００４９】
このように自動通報装置４からの番号非通知と番号通知の切り換え／選択で、過誤放送をワンタッチボタン２で停止・取消すか、電話機５の送受器で停止・取消すかが、切り換え／選択され得る。
【００５０】
また、自動通報装置４からの番号非通知と番号通知の切り換え／選択によって、上記地域内放送機１３での放送が、上記音声ＲＯＭ１７から読み出した音声情報による放送と、上記自動通報装置４の電話機５の送受器から発声される音声による放送とが切り換え／選択される。さらに、過誤の放送の開始前と完了後とでの取消しを、発呼元電話番号の通知／非通知によって切り換え／選択できる。
【００５１】
すなわち、上記音声放送が過誤であったとき、発呼元電話番号が通知される状態で取消情報が地域内放送手段に送られれば、当該音声放送が取り消される処理が実行されることになる。また、発呼元電話番号が通知されない状態で取消情報が地域内放送手段に送られれば、当該音声放送が過誤である音声放送がされることになる。
【００５２】
（６）他の実施の形態
本発明は、上記実施例に限定されず、種々変更可能である。例えば、音声ＲＯＭ１７は音声データが書込み読出し可能なメモリとされ、高齢者または要介護者の居住場１の電話機５の送受器から音声データが書き込まれても良い。
【００５３】
この場合、ステップ３１以降、電話機５の送受器が取り上げられて電話回線６がオフフック状態になり、地域内放送機１３の電話番号が番号通知状態で発呼されて、例えば電話機５の番号ボタンで「０２＊」または「０２＃」などの音声データ書込みモードが設定される。
【００５４】
次いで、送受器から音声が発せられると、この音声データは空きメモリの音声ＲＯＭ１７に書き込まれる。このとき、上記通知されてきた電話番号データと、この書き込まれた音声ＲＯＭ１７の番号／ナンバが対応付けられてインデックスデータとして、ＲＡＭ２３（またはＲＯＭ２２）に書き込まれる。
【００５５】
上記図２または／及び図３の回路では、ＣＰＵ１６、ＲＯＭ２２、ＲＡＭ２３、ＣＰＵ９、ＲＯＭ３１、ＲＡＭ３２とその他の回路とが、バスラインを介して、互いに接続されるが、図２及び図３ではこのバスラインは省略されている。
【００５６】
上記音声ＲＯＭ１７に記録される音声データは、「○○です。だれかちょっと助けてくれませんか。」といったもののほか、「○○です。医者を呼んでもらえませんか。」「○○です。救急車を呼んでくれませんか。」「○○です。代わりに保険局に連絡を取ってくれませんか。」といったように、高齢者または要
介護者に万が一のことがあったときに関するものならば何でもよい。
【００５７】
上記音声ＲＯＭ１７に記録される音声データは、上述のほか、「□□地区に、避難勧告が出されました。避難先は△△小学校です。」といった避難伝達／連絡、「本日は、△△小学校で運動会です。皆さん是非ご参加ください。」といったイベント伝達／連絡といった、特定の居住場１だけに関連する音声放送以外に、地域内全体に関連する音声情報が伝達されてもよい。
【００５８】
区域内に放送される居住場１の人間は、高齢者または要介護者であるが、この高齢者または要介護者には、障害者、老齢者、痴呆者といった、他人の助けが必要な人間を指す。ワンタッチボタン２はワンタッチで操作できれば、押しボタン式（スイッチ式）のほか、光式、赤外線式、磁気式、音式、ページャー、携帯電話など、どのようなものでもよい。電話回線６は有線形式のほか、無線形式でもよく、自動通報装置４及び電話番号レジスタ（自動応答回路）１５は、携帯電話スタイルでもよい。
【００５９】
上記地域内放送機１３での音声放送は、オフフックしないで実行されたが（ステップ０３）、オフフックして実行されてもよい。この場合、ステップ０７の音声ＲＯＭ１７…の読出しと、ステップ１４の音声放送との識別は、電話機５からの所定のパスワード入力の有無または、入力されるパスワードの違いによって実行される。また、上記図４のステップ１１〜１４の音声放送処理は、省略されてもよい。
【００６０】
上記図５のステップ３７〜３８の通常通話の処理は省略されてもよい。上記図５のステップ３１〜３６の電話番号書込み処理は省略されてもよい。上記ワイヤレス発信機７及びワイヤレス受信機３は省略され、ワンタッチボタン２と自動通報装置４とは有線で接続されてもよい。上記音声ＲＯＭ１７…の数は任意であり１つでもよく、したがって記憶される音声データの数も任意であり１つでもよい。
【００６１】
上記音声ＲＯＭ１７は、地域内放送機１３ではなく、高齢者または要介護者の居住場１の自動通報装置４内に設けられても良い。この場合、ワンタッチボタン２の操作で、音声ＲＯＭ１７から音声データが読み出され、電話回線６を通じて、地域内放送機１３の電話番号レジスタ（自動応答回路）１５、アナログゲート２４、アンプ２０を経て、音声拡声スピーカー１２…より特定区域内に音声放送される。そして、地域内放送機１３ではオフフックされてステップ１１〜１４の処理が実行され、ステップ０４〜０７の処理が自動通報装置４で実行される。
【００６２】
（７）他の発明の効果
［１］高齢者または要介護者の居住場では、  ワンタッチ発令指示手段によって、一回の操作で発令が指示される工程と、  発呼手段によって、このワンタッチ発令指示手段からの発令指示情報に基づいて、発呼元電話番号が通知される状態で、予め記憶された着呼先番号に対して電話回線を通じて呼出が行なわれる工程と、  複数の発呼元電話番号と、この発呼元電話番号に対応する上記高齢者または要介護者を特定する複数の音声情報とを対応させて記憶する音声記憶手段が備えられた、複数の音声拡声手段を通じて特定の地域内に音声放送を行なう地域内放送手段では、  着呼手段によって、上記発呼手段からの発呼が着呼される工程と、  応答手段によって、この着呼手段で着呼されたとき、オフフックしないで、通知されてくる発呼元電話番号に対応した上記音声情報が上記音声記憶手段から読み出されて、上記音声拡声手段から特定の地域内に音声放送が行われる工程とを備えたことを特徴とする地域内伝達方法。
【００６３】
[２]高齢者または要介護者の居住場では、  ワンタッチ発令指示手段によって、一回の操作で発令を指示させる処理と、  発呼手段によって、このワンタッチ発令指示手段からの発令指示情報に基づいて、発呼元電話番号が通知される状態で、予め記憶された着呼先番号に対して電話回線を通じて呼出を行なわせる処理と、  複数の発呼元電話番号と、この発呼元電話番号に対応する上記高齢者または要介護者を特定する複数の音声情報とを対応させて記憶する音声記憶手段が備えられた、複数の音声拡声手段を通じて特定の地域内に音声放送を行なう地域内放送手段では、  着呼手段によって、上記発呼手段からの発呼を着呼させる処理と、  応答手段によって、この着呼手段で着呼されたとき、オフフックしないで、通知されてくる発呼元電話番号に対応した上記音声情報が上記音声記憶手段から読み出されて、上記音声拡声手段から特定の地域内に音声放送を行わせる処理とを、コンピュータに対して実行させることを特徴とする地域内伝達のためのコンピュータプログラム。
【００６４】
[３]高齢者または要介護者の居住場は、  一回の操作で発令を指示するワンタッチ発令指示手段と、  このワンタッチ発令指示手段からの発令指示情報に基づいて、発呼元電話番号を通知する状態で、予め記憶された着呼先番号に対して電話回線を通じて呼出を行なう発呼手段と、を備え、  複数の音声拡声手段を通じて特定の地域内に音声放送を行なう地域内放送手段は、  複数の発呼元電話番号と、この発呼元電話番号に対応する上記高齢者または要介護者を特定する複数の音声情報とを対応させて記憶する音声記憶手段と、  上記発呼手段からの発呼を着呼する着呼手段と、  この着呼手段で着呼されたとき、オフフックしないで、通知されてくる発呼元電話番号に対応した上記音声情報を上記音声記憶手段から読み出して、上記音声拡声手段から特定の地域内に音声放送を行なう応答手段と、を備えたことを特徴とする地域内伝達装置。
【００６５】
[４]地域内放送手段内の応答手段は、着呼手段で着呼されたとき、発呼元電話番号が通知されてこなければ、オフフック状態とし、さらに所定時間内に、電話機のプッシュボタン信号またはダイヤルパルス信号による複数の特定の番号情報または／及び記号情報が受信されれば、さらに受信されてくる音声情報を、上記複数の音声拡声手段を通じて特定の地域内に音声放送を行なうことを特徴とする請求項３記載の地域内伝達装置。これにより、地域内放送手段による音声放送を予め記憶された音声情報によるもののほか、直に発声される音声によるものでも可能となる。
【００６６】
[５]上記地域内放送手段は、  上記着呼手段の着呼から所定時間待機し、この所定時間内に上記発呼元電話番号と同じ発呼番号を一回以上着呼すれば、上記通知された発呼元電話番号に対応した上記音声情報を読み出すことを取り消す取消手段を、さらに備えたことを特徴とする請求項２または３記載の地域内伝達装置。これにより、間違って音声放送の操作をしたときも、これを取消しできる。しかも、同じ電話番号データを待機時間内に一回でも複数回でも着呼すると、音声情報の読み出しは必ず取り消されるから、上記ワンタッチ発令指示を何回でもよいから繰り返せばよく、上記音声放送の取り消しは容易となる。再度音声放送をしたいときは、待機時間経過後に、再度ワンタッチ発令指示をすればよい。
【００６７】
[６]上記音声放送が過誤であったとき、  発呼元電話番号が通知される状態で取消情報が地域内放送手段に送られれば、当該音声放送が取り消される処理が実行され、  発呼元電話番号が通知されない状態で取消情報が地域内放送手段に送られれば、当該音声放送が過誤である音声放送がされることを特徴とする請求項３、４または５記載の地域内伝達装置。これにより、発呼元電話番号の通知／非通知によって、過誤の音声放送の取消方法を選択できる。また、過誤の放送の開始前と完了後とでの取消しを、発呼元電話番号の通知／非通知によって切り換え／選択できる。
【００６８】
[７]上記発呼手段での番号非通知と番号通知の切り換えによって、上記地域内放送手段での放送が、上記音声記憶手段から読み出した音声情報による放送と、上記発呼手段から発声される音声による放送とが切り換えられることを特徴とする請求項３、４、５または６記載の地域内伝達装置。これにより、記憶された音声情報と、直に発声される音声とが、発呼元電話番号の通知／非通知によって、切り替え／選択される。
【００６９】
[８]上記高齢者または要介護者の居住場は、  上記発呼元電話番号を通知する状態で、上記予め記憶された着呼先番号に対して電話回線を通じて、呼出を行なうとともに、上記地域内放送手段内の着呼手段が応答したとき、取消情報を発信する取消手段を、さらに備え、  上記地域内放送手段は、  上記着呼手段の着呼から所定時間待機し、この所定時間内に上記取消情報が受信されれば、上記通知された発呼元電話番号に対応した上記音声情報を読み出すことを停止する停止手段と、さらに備えたことを特徴とする請求項３、４、５、６または７記載の地域内伝達装置。これにより、間違って音声放送の操作をしたときも、これを取消しできる。
【産業上の利用可能性】
【００７０】
高齢者または要介護者に万が一のことがあったとき、ワンタッチで地域内に音声放送で伝達される。着呼があり（ステップ０１）、送られてくる電話番号データが通知状態であれば（ステップ０２）、オフフックしないで、オンフックのまま、送られてきた電話番号データに対応した音声ＲＯＭ１７…のいずれか１つを送って選択する（ステップ０４）。
【００７１】
次いで、所定時間たとえば１分待機し（ステップ０６）、上記着呼された電話番号データと同じ電話番号データを着呼しなければ（ステップ０５）、アンドゲート２１に開成信号を送り込みアドレスカウンタ１８をクロック信号の周波数に応じた速度でインクリメントさせる（ステップ０７）。これにより、発呼してきた居住場１の高齢者または要介護者の「○○です。だれかちょっと助けてくれませんか。」といった音声データが読み出され特定の地域内に音声放送される。
【図面の簡単な説明】
【００７２】
【図１】地域内伝達方法を実行する装置、地域内伝達装置、地域-内放送システムの全体システムを示す。
【図２】地域内放送機１３内の回路構成を示す。
【図３】高齢者または要介護者の居住場１における、ワイヤレス発信機７が内蔵されたワンタッチボタン２と、自動通報装置４及び電話機５との回路を示す。
【図４】地域内放送機１３のＣＰＵ１６によって実行される着呼・音声放送処理のフローチャートを示す。
【図５】自動通報装置４のＣＰＵ９によって実行される発呼処理のフローチャートを示す。
【符号の説明】
【００７３】
１…高齢者または要介護者の居住場、
２…ワンタッチボタン、３…ワイヤレス受信機、
４…自動通報装置、５…電話機、
６…電話回線、７…ワイヤレス発信機、
８…番号メモリ、９…ＣＰＵ、
１０…自動通報回路、１１…支柱、
１２…音声拡声スピーカー、１３…地域内放送機、
１４…音声ケーブル、１５…電話番号レジスタ（自動応答回路）、
１６…ＣＰＵ、１７…音声ＲＯＭ、
１８…アドレスカウンタ、１９…Ｄ−Ａ変換器、２０…アンプ、
２１…アンドゲート、２４…アナログゲート、
２２…ＲＯＭ、２３…ＲＡＭ、
３１…ＲＯＭ、３２…ＲＡＭ。
【図１】
2008243014.tif 000003
【図２】
2008243014.tif 000004
【図３】
2008243014.tif 000005
【図４】
2008243014.tif 000006
【図５】
2008243014.tif 000007